(57)【要約】【課題】ポスターパネルや商品見本等を効果的に照明して商品選択性の向上を図り、薄型化、低コスト化に寄与できる自動販売機を提供することを目的とする。【解決手段】広告展示部３は、販売商品の商品情報または広告等を示すポスターパネルを展示する展示部３３を斜め上方を臨むように傾けてあり、その上方に設けているＬＥＤ素子３１が発する照明光は光透過性カバー３２を透過して展示部３３および商品選択部４を上方から効果的に照らすようにしている。ＬＥＤ素子３１は光透過性カバー３２の上方に設けたＬＥＤ素子取付板３４に図示しない取付金具で取り付けられている。【選択図】        図２
2010061422.tif 000002
【特許請求の範囲】
【請求項１】
販売商品の商品情報または広告を示すポスターパネルを展示する広告展示部と、商品見本表示部に表示する購入商品を選択するための商品選択部と、を外扉に設けた自動販売機において、
前記広告展示部および前記商品選択部のうちの少なくとも１つを、斜め上方を臨むように傾けて設けたことを特徴とする自動販売機。
【請求項２】
前記広告展示部および前記商品選択部のうちの少なくとも１つを、当該上方から照らす照明手段を設けたことを特徴とする請求項１に記載の自動販売機。
【請求項３】
前記商品見本表示部は、販売商品を表示する商品ラベルの前方に光透過性カバーを設け、前記照明手段から発せられた照明光が前記光透過性カバーを透過して前記商品ラベルを照らすことを特徴とする請求項２に記載の自動販売機。
【請求項４】
前記広告展示部および前記商品選択部のうちの少なくとも１つを、前記外扉の前端から凹ませて設けたことを特徴とする請求項１に記載の自動販売機。
【発明の詳細な説明】
【技術分野】
【０００１】
本発明は、カップ、缶またはペットボトル入り飲料等の商品を販売する自動販売機に関するものである。
【背景技術】
【０００２】
自動販売機の外扉の前面部には商品見本を展示する見本展示部、販売商品の広告等を示すポスターパネルを展示する広告展示部、購入商品を選択する選択釦を設けた商品選択部等が形成され、展示部には、商品見本やポスターパネルを視認できるように照明手段としての蛍光灯や発光ダイオード素子（以下「ＬＥＤ素子」という）が設けられている。自動販売機で商品見本やポスターパネル等を照明手段を設けて照明するのは、自動販売機の利用者に販売商品や広告を見易くして集客力を高めるためである。また、外扉には、商品取出口、硬貨投入口や紙幣挿入口、釣銭返却口等が設けられている。
【０００３】
見本展示部は、天井部、背板部、底部および電照板によって区画形成されている。商品見本は、たとえば３段に形成された展示台上に設けられている。電照板前面の各商品見本に対応する位置には、選択釦が電照板裏面に配された取付金具によって固定され、ポスターパネルが底部に立設されている。
蛍光灯やＬＥＤ素子は、商品見本、ポスターパネルおよび電照板を照明するために、天井部や展示台の下部に設けられている（例えば、特許文献１参照）。
【特許文献１】特開２００２−３５８５６１号公報
【発明の開示】
【発明が解決しようとする課題】
【０００４】
しかしながら、このような自動販売機では、照明手段としての蛍光灯やＬＥＤ素子を数多く使用する必要が生じるために、自動販売機のコストアップ要因となり、また、展示空間が大型化し、外扉の厚みが増え、自動販売機の奥行き寸法が大きくなり、さらに、蛍光灯を照明手段として使用した場合には蛍光灯の両端側の商品見本やポスターパネルが暗くなるという課題があった。
【０００５】
本発明は、上記実情に鑑みて、ポスターパネルや商品見本等を効果的に照明して商品選択性の向上を図り、薄型化、低コスト化に寄与できる自動販売機を提供することを目的とする。
【課題を解決するための手段】
【０００６】
上記目的を達成するため、本発明の請求項１に係る自動販売機は、販売商品の商品情報または広告を示すポスターパネルを展示する広告展示部と、商品見本表示部に表示する購入商品を選択するための商品選択部と、を外扉に設けた自動販売機において、
前記広告展示部および前記商品選択部のうちの少なくとも１つを、斜め上方を臨むように傾けて設けたことを特徴とする。
【０００７】
また、本発明の請求項２に係る自動販売機は、上記請求項１において、前記広告展示部および前記商品選択部のうちの少なくとも１つを、当該上方から照らす照明手段を設けたことを特徴とする。
また、本発明の請求項３に係る自動販売機は、上記請求項２において、前記商品見本表示部は、販売商品を表示する商品ラベルの前方に光透過性カバーを設け、前記照明手段から発せられた照明光が前記光透過性カバーを透過して前記商品ラベルを照らすことを特徴とする。
【０００８】
また、本発明の請求項４に係る自動販売機は、上記請求項１において、前記広告展示部および前記商品選択部のうちの少なくとも１つを、前記外扉の前端から凹ませて設けたことを特徴とする。
【発明の効果】
【０００９】
請求項１の発明によれば、広告展示部および商品選択部のうちの少なくとも１つを、斜め上方を臨むように傾けて設けたことにより、広告展示部および商品選択部が自動販売機利用者の目線に垂直に近くなり、商品選択性の向上を図ることが可能となる。
また、請求項２の発明によれば、広告展示部および商品選択部のうちの少なくとも１つを、当該上方から照らす照明手段を設けたことにより、ポスターパネルや商品見本等を効果的に照明でき、自動販売機の薄型化、低コスト化に寄与することが可能となる。
【００１０】
また、請求項３の発明によれば、商品見本表示部は、販売商品を表示する商品ラベルの前方に光透過性カバーを設け、照明手段から発せられた照明光が光透過性カバーを透過して商品ラベルを照らすことにより、商品ラベルを効果的に照明でき、自動販売機の薄型化、低コスト化に寄与することが可能となる。
また、請求項４の発明によれば、広告展示部および商品選択部のうちの少なくとも１つを、外扉の前端から凹ませて設けたことにより、自動販売機利用者が不用意に商品選択部に接触することがなくなり、購入商品の誤選択を防止することが可能となる。さらに、広告展示部に周囲の映像の写りこみがなくなり視認性が向上し、埃等の堆積を防止できるので自動販売機を衛生的に管理することが容易となる。
【発明を実施するための最良の形態】
【００１１】
以下に添付図面を参照して、本発明に係る自動販売機の好適な実施の形態について詳細に説明する。なお、この実施の形態によりこの発明が限定されるものではない。
図１は、本発明の実施の形態に係る自動販売機の外観図である。ここで例示する自動販売機１は、利用者の選択に応じて機内で調製したホット飲料もしくはコールド飲料をカップに注入して商品取出口から提供するもので、機内には、カップ供給装置、温水タンク、原料容器、コーヒー抽出機、製氷機などを備えている。
【００１２】
機器筐体（図示せず）に開閉可能に取り付けられた外扉２には、販売商品の商品情報または広告等を示すポスターパネルを展示する広告展示部３、利用者が好みの飲料を選択するための複数の商品見本表示部４１に対応させた選択釦４２を備える商品選択部４、硬貨を投入するための硬貨投入口５、投入した硬貨または釣銭を返却するための返却レバー６、釣銭返却口７、紙幣挿入口８、金銭残高などを表示する表示部９、飲料原料であるコーヒーや砂糖、クリームの量を増減させる原料増減部１０、飲料が注入されたカップを取り出す商品取出口１１が設けられ、商品取出口１１には取出扉１２が開閉可能に取り付けられている。そして、広告展示部３の上方には照明手段としてのＬＥＤ素子３１を商品見本表示部４１の縦列それぞれに対応させて複数設け、ＬＥＤ素子３１が発する照明光で広告展示部３および商品選択部４を上方から効果的に照らすようにしている。このように、ＬＥＤ素子３１を商品見本表示部４１の縦列それぞれに対応させて設けているので、両端側に設けられている商品見本やポスターパネルも効果的に明るく照明することが可能となる。尚、照明手段としてＬＥＤ素子を用いて説明しているが、照明手段としてＬＥＤ素子に限定することはなく、例えば有機ＥＬ素子等を用いてもよい。
【００１３】
図２は、図１のＡ−Ａ部を矢印方向に見た側断面図を示し、広告展示部３と商品選択部４を斜め上方を臨むように傾けて外扉２の前端から凹ませて設けている。広告展示部３は、販売商品の商品情報または広告等を示すポスターパネルを展示する展示部３３を斜め上方を臨むように傾けてあり、その上方に設けているＬＥＤ素子３１が発する照明光は光透過性カバー３２を透過して展示部３３および商品選択部４を上方から効果的に照らすようにしている。ＬＥＤ素子３１は光透過性カバー３２の上方に設けたＬＥＤ素子取付板３４に図示しない取付金具で取り付けられている。商品選択部４は、利用者が好みの飲料を選択するための複数の商品見本表示部４１それぞれに対応させた選択釦４２を備える。
【００１４】
図３は、商品選択部４の拡大側断面図を示し、商品見本表示部４１は、販売商品を表示する商品ラベル４３の前方に光透過性カバー４４を設け、ＬＥＤ素子３１から発せられた照明光が光透過性カバー４４を透過するときに拡散して商品ラベル４３を効果的に照らすことができる。
以上説明したように、販売商品の商品情報または広告を示すポスターパネルを展示する広告展示部３と、商品見本表示部４１に表示する購入商品を選択するための商品選択部４と、を外扉２に設けた自動販売機１で、広告展示部３および商品選択部４のうちの少なくとも１つを、斜め上方を臨むように傾けて設けたことにより、広告展示部３および商品選択部４が自動販売機１利用者の目線に垂直に近くなり、商品選択性の向上を図ることができる自動販売機１を提供することが可能となる。
【００１５】
また、広告展示部３および商品選択部４のうちの少なくとも１つを、当該上方から照らすＬＥＤ素子３１を設けたことにより、ポスターパネルや商品ラベル４３を効果的に照明でき、自動販売機１の薄型化、低コスト化に寄与することが可能となる。
また、商品見本表示部４１は、販売商品を表示する商品ラベル４３の前方に光透過性カバー４４を設け、ＬＥＤ素子３１から発せられた照明光が光透過性カバー４４を透過して商品ラベル４３を照らすことにより、商品ラベル４３を効果的に照明でき、自動販売機１の薄型化、低コスト化に寄与することが可能となる。
【００１６】
また、広告展示部３および商品選択部４のうちの少なくとも１つを、外扉２の前端から凹ませて設けたことにより、自動販売機１利用者が不用意に商品選択部４に接触することがなくなり、販売商品の誤選択を防止することが可能となる。さらに、広告展示部３に周囲の映像の写りこみがなくなり視認性が向上し、埃等の堆積を防止できるので自動販売機１を衛生的に管理することが容易となる。
【図面の簡単な説明】
【００１７】
【図１】本発明の実施の形態である自動販売機を示した外観図である。
【図２】図１に示した自動販売機のＡ−Ａ部を矢印方向に見た側断面図である。
【図３】図１に示した自動販売機の商品選択部の拡大側断面図である。
【符号の説明】
【００１８】
１      自動販売機
２      外扉
３      広告展示部
４      商品選択部
５      硬貨投入口
１０      原料増減部
１１      商品取出口
１２      取出扉
３１      ＬＥＤ素子（照明手段）
３２      光透過性カバー
３３      展示部
３４      ＬＥＤ素子取付板
４１      商品見本表示部
４２      選択釦
４３      商品ラベル
４４      光透過性カバー
【図１】
2010061422.tif 000003
【図２】
2010061422.tif 000004
【図３】
2010061422.tif 000005